(57)【要約】      （修正有）【課題】提供先が所望する形成条件で形成された画像を提供する。【解決手段】画像形成の指示とともに、形成された画像の提供先を特定する情報の入力を受け入れ、受け入れた情報で特定される各提供先の画像形成条件を取得し、取得した各画像形成条件に基づいて前記画像を形成する。原稿を読み取る手段を有し、読み取って得られた画像情報を形成の対象として受け入れ、取得した各画像形成条件に基づいて、前記形成の対象となった情報に基づく画像を形成する。【選択図】図１
2010103699.tif 000002
【特許請求の範囲】
【請求項１】
画像形成の指示と、形成された画像の提供先を特定する情報の入力を受け入れる受入手段と、
前記画像の提供先ごとに予め指定された画像形成条件を取得する取得手段と、
前記取得した各画像形成条件に基づいて前記画像を形成する形成手段と、
を含むことを特徴とする画像形成装置。
【請求項２】
前記受入手段は、画像形成指示装置から前記画像形成の指示を受け入れ、
前記形成手段は、各提供先の画像形成条件に基づいて前記画像を形成する請求項１記載の画像形成装置。
【請求項３】
原稿を読み取る読取手段を有し、
前記受入手段は、前記読み取って得られた画像情報を形成の対象として受け入れ、
前記形成手段は、前記取得した各画像形成条件に基づいて前記形成の対象となった画像情報に基づく画像を形成する請求項１記載の画像形成装置。
【請求項４】
前記受入手段は、さらに、選択条件に係る情報の入力を受け入れ、
前記取得手段は、前記画像の提供先ごとに予め指定された複数の画像形成条件のうち、前記受け入れた選択条件に関連づけられた画像形成条件を選択的に取得して、
前記形成手段は、前記取得した各画像形成条件に基づいて前記画像を形成する
ことを特徴とする請求項１記載の画像形成装置。
【請求項５】
前記形成手段は、前記提供先ごとの画像形成指示の内容に基づいて、画像形成の順序を決定する請求項１から４のいずれか一項に記載の画像形成装置。
【請求項６】
前記取得手段が取得した画像形成条件に関連づけられている情報の一覧の画像を生成する手段をさらに含み、
前記形成手段は、当該生成された画像を形成する
ことを特徴とする請求項１から５のいずれか一項に記載の画像形成装置。
【請求項７】
形成された画像の提供先を特定する情報の入力を受け入れる受入手段と、
前記画像の提供先ごとに予め指定された画像形成条件を取得する取得手段と、
前記取得した各画像形成条件と、形成の対象となる画像の形成指示とを出力する出力手段と、
を含むことを特徴とする画像形成指示装置。
【請求項８】
画像形成指示装置と、画像形成装置とを含む画像形成システムであって、
前記画像形成指示装置は、
形成された画像の提供先を特定する情報の入力を受け入れる受入手段と、
前記画像の提供先ごとに予め指定された画像形成条件を取得する取得手段と、
前記取得した各画像形成条件と、形成の対象となる画像の形成指示とを出力する出力手段と、を有し、
前記画像形成装置は、
前記画像形成指示装置が出力する複数の画像形成条件と、形成の対象となる画像の形成指示とを受信する受信手段と、
前記複数の画像形成条件の各々に基づき、受信した画像の形成指示に従って画像を形成する形成手段と、
を含む画像形成システム。
【請求項９】
画像形成指示装置と、画像形成装置とを含む画像形成システムであって、
前記画像形成指示装置は、
形成された画像の提供先を特定する情報の入力を受け入れる受入手段と、
前記提供先を特定する情報と形成の対象となる画像の形成指示とを出力する出力手段と、を有し、
前記画像形成装置は、
前記画像形成指示装置が出力する提供先を特定する情報と、形成の対象となる画像の形成指示とを受信する受信手段と、
前記画像の提供先ごとに予め指定された画像形成条件を取得する取得手段と、
前記画像形成条件に基づき、受信した画像の形成指示に従って画像を形成する形成手段と、
を含む画像形成システム。
【請求項１０】
コンピュータを、
画像形成の指示とともに、形成された画像の提供先を特定する情報の入力を受け入れる受入手段と、
前記画像の提供先ごとに予め指定された画像形成条件を取得する取得手段と、
前記取得した各画像形成条件に基づいて前記画像を形成する形成手段と、
として機能させるプログラム。
【請求項１１】
前記コンピュータを、
前記受入手段では、画像形成指示装置から前記画像形成の指示を受け入れさせ、
前記形成手段では、各提供先の画像形成条件に基づいて前記画像を形成させる、
請求項１０記載のプログラム。
【請求項１２】
前記コンピュータを、
さらに媒体に固定された原稿を読み取る読取手段として機能させ、
前記受入手段では、前記読み取って得られた画像情報を形成の対象として受け入れさせ、
前記形成手段では、前記取得した各画像形成条件に基づいて前記形成の対象となった画像情報に基づく画像を形成させる
請求項１０記載のプログラム。
【請求項１３】
コンピュータを、
形成された画像の提供先を特定する情報の入力を受け入れる受入手段と、
前記画像の提供先ごとに予め指定された画像形成条件を取得する取得手段と、
前記取得した各画像形成条件と、形成の対象となる画像の形成指示とを出力する出力手段と、
として機能させるプログラム。
【発明の詳細な説明】
【技術分野】
【０００１】
本発明は、画像形成装置、画像形成指示装置、画像形成システム及びプログラムに関する。
【背景技術】
【０００２】
文書に複数のプリント設定を持たせ、ユーザ毎に自分のプリント設定を簡単に呼び出してプリント出力することができる画像形成装置の提供を目的として、画像データを入力する画像入力手段と、画像入力手段により入力された画像データを順次記憶する画像記憶手段と、複数の画像データに対し設定されているプリント設定を画像とリンクし文書として記憶する文書記憶手段と、画像記憶手段に記憶された画像データを読み出し、文書記憶手段に記憶されたプリント設定に応じて順次プリント出力する画像出力手段と、文書のプリント設定を付加及び上書きするプリントモード設定手段と、１文書に対して複数のプリント設定を保持しておくプリントモード保存手段と、文書のプリント出力時に複数のプリント設定からプリント設定を選択するプリント設定選択手段を含んで構成される画像形成装置の例が、特許文献１に開示されている。
【特許文献１】特開２００４−２４３５８８号公報
【発明の開示】
【発明が解決しようとする課題】
【０００３】
提供先毎に所望する形成条件で形成された画像を提供することを目的の一つとする。
【課題を解決するための手段】
【０００４】
請求項１記載の発明は、画像形成装置であって、画像形成の指示と、形成された画像の提供先を特定する情報の入力を受け入れる受入手段と、前記画像の提供先ごとに予め指定された画像形成条件を取得する取得手段と、前記取得した各画像形成条件に基づいて前記画像を形成する形成手段と、を含むこととしたものである。
【０００５】
請求項２記載の発明は、請求項１記載の画像形成装置であって、前記受入手段は、画像形成指示装置から前記画像形成の指示を受け入れ、前記形成手段は、各提供先の画像形成条件に基づいて前記画像を形成することとしたものである。
【０００６】
請求項３記載の発明は、請求項１記載の画像形成装置であって、原稿を読み取る読取手段を有し、前記受入手段は、前記読み取って得られた画像情報を形成の対象として受け入れ、前記形成手段は、前記取得した各画像形成条件に基づいて前記形成の対象となった画像情報に基づく画像を形成することとしたものである。
【０００７】
請求項４記載の発明は、請求項１記載の画像形成装置であって、前記受入手段は、さらに、選択条件に係る情報の入力を受け入れ、前記取得手段は、前記画像の提供先ごとに予め指定された複数の画像形成条件のうち、前記受け入れた選択条件に関連づけられた画像形成条件を選択的に取得して、前記形成手段は、前記取得した各画像形成条件に基づいて前記画像を形成することとしたものである。
また請求項５記載の発明は、請求項１から４のいずれか一項に記載の画像形成装置であって、前記形成手段は、前記提供先ごとの画像形成指示の内容に基づいて、画像形成の順序を決定することとしたものである。
さらに請求項６記載の発明は、請求項１から５のいずれか一項に記載の画像形成装置であって、前記取得手段が取得した画像形成条件に関連づけられている情報の一覧の画像を生成する手段をさらに含み、前記形成手段は、当該生成された画像を形成することとしたものである。
【０００８】
請求項７記載の発明は、画像形成指示装置であって、形成された画像の提供先を特定する情報の入力を受け入れる受入手段と、前記画像の提供先ごとに予め指定された画像形成条件を取得する取得手段と、前記取得した各画像形成条件と、形成の対象となる画像の形成指示とを出力する出力手段と、を含むこととしたものである。
【０００９】
請求項８記載の発明は、画像形成指示装置と、画像形成装置とを含む画像形成システムであって、前記画像形成指示装置は、形成された画像の提供先を特定する情報の入力を受け入れる受入手段と、前記画像の提供先ごとに予め指定された画像形成条件を取得する取得手段と、前記取得した各画像形成条件と、形成の対象となる画像の形成指示とを出力する出力手段と、を有し、前記画像形成装置は、前記画像形成指示装置が出力する複数の画像形成条件と、形成の対象となる画像の形成指示とを受信する受信手段と、前記複数の画像形成条件の各々に基づき、受信した画像の形成指示に従って画像を形成する形成手段と、を含むこととしたものである。
【００１０】
請求項９記載の発明は、画像形成指示装置と、画像形成装置とを含む画像形成システムであって、前記画像形成指示装置は、形成された画像の提供先を特定する情報の入力を受け入れる受入手段と、前記提供先を特定する情報と形成の対象となる画像の形成指示とを出力する出力手段と、を有し、前記画像形成装置は、前記画像形成指示装置が出力する提供先を特定する情報と、形成の対象となる画像の形成指示とを受信する受信手段と、前記画像の提供先ごとに予め指定された画像形成条件を取得する取得手段と、前記画像形成条件に基づき、受信した画像の形成指示に従って画像を形成する形成手段と、を含むこととしたものである。
【００１１】
請求項１０記載の発明は、プログラムであって、コンピュータを、画像形成の指示とともに、形成された画像の提供先を特定する情報の入力を受け入れる受入手段と、前記画像の提供先ごとに予め指定された画像形成条件を取得する取得手段と、前記取得した各画像形成条件に基づいて前記画像を形成する形成手段と、として機能させることとしたものである。
また請求項１１記載の発明は、請求項１０記載のプログラムであって、前記コンピュータを、前記受入手段では、画像形成指示装置から前記画像形成の指示を受け入れさせ、前記形成手段では、各提供先の画像形成条件に基づいて前記画像を形成させることとしたものである。
また、請求項１２記載の発明は、請求項１０記載のプログラムであって、前記コンピュータを、さらに媒体に固定された原稿を読み取る読取手段として機能させ、前記受入手段では、前記読み取って得られた画像情報を形成の対象として受け入れさせ、前記形成手段では、前記取得した各画像形成条件に基づいて前記形成の対象となった画像情報に基づく画像を形成させることとしたものである。
【００１２】
請求項１３記載の発明は、プログラムであって、コンピュータを、形成された画像の提供先を特定する情報の入力を受け入れる受入手段と、前記画像の提供先ごとに予め指定された画像形成条件を取得する取得手段と、前記取得した各画像形成条件と、形成の対象となる画像の形成指示とを出力する出力手段と、として機能させることとしたものである。
【発明の効果】
【００１３】
請求項１、８、１０記載の発明によると、提供先が所望する条件で形成した画像が提供される。
また、請求項２、１１記載の発明によると、提供先が所望する条件で、画像形成指示装置から受信した画像が形成される。
さらに請求項３、１２記載の発明によると、提供先が所望する条件で、読み取った画像が形成される。
【００１４】
請求項４記載の発明によると、提供先ごとに複数の画像形成条件を予め指定しておき、そのいずれかを選択させることができる。
【００１５】
また請求項５記載の発明によると、提供先ごとの画像形成指示の内容に基づいて、画像形成の順序を決定できる。
さらに請求項６記載の発明によると、画像形成条件に関連づけられている情報の一覧の画像を形成できる。
【００１６】
請求項７、９、１３記載の発明によると、各提供先が所望する条件を含む画像形成指示を出力できる。
【発明を実施するための最良の形態】
【００１７】
本発明の実施の形態について図面を参照しながら説明する。本実施の形態に係る画像形成システムは、図１に例示するように、画像形成指示装置としての画像形成指示装置１と、画像形成装置２とを含んで構成される。ここに、画像形成指示装置１は、例えば制御部１１、記憶部１２、操作部１３、表示部１４、及び通信部１５を含んで構成され、また画像形成装置２は、制御部２１、記憶部２２、入力部２３、画像形成部２４、及び通信部２５を含んで構成される。
【００１８】
画像形成指示装置１の制御部１１は、ＣＰＵ（Central Processing Unit）等のプログラム制御デバイスであり、記憶部１２に格納されたプログラムに従って動作する。本実施の形態のある態様では、この制御部１１は、画像形成指示と、形成された画像の提供先を指定する情報とを送信する処理を行う。
【００１９】
記憶部１２は、ＲＡＭ（Random Access Memory）等のメモリ素子や、ディスクデバイスを含んで構成され、制御部１１によって実行されるプログラムを保持している。このプログラムは、ＤＶＤ−ＲＯＭ（Digital Versatile Disc Read Only Memory）などのコンピュータ可読な記録媒体に格納されて提供され、この記憶部１２に複写されたものであっても構わない。また、この記憶部１２は、制御部１１のワークメモリとしても動作する。
【００２０】
操作部１３は、マウスやキーボードなどであり、利用者の操作を受け入れて、当該操作の内容を制御部１１に出力する。表示部１４は、ディスプレイ等であり、制御部１１の指示に従って情報を出力する。また、通信部１５は、例えばネットワークインタフェースなどであり、制御部１１の指示に従い、ネットワーク等の通信手段を介して、画像形成装置２との間で情報の送受を行う。
【００２１】
画像形成装置２の制御部２１もまた、ＣＰＵ等のプログラム制御デバイスであり、記憶部２２に格納されたプログラムに従って動作する。本実施の形態のある態様では、この制御部２１は、記憶部２２に予め、画像の提供先ごとに指定された画像形成条件を記憶させている。また、この制御部２１は、通信部２５を介し、画像形成指示装置１から画像形成の指示とともに、形成された画像の提供先を特定する情報の入力を受け入れ、当該受け入れた情報で特定される各提供先の画像形成条件を記憶部２２から読み出して取得し、当該取得した各画像形成条件に基づいて、形成の対象となった画像を形成させる処理を行っている。この制御部２１の詳しい処理の内容については、後に述べる。
【００２２】
記憶部２２は、メモリ素子や、ディスクデバイスなどであり、制御部２１によって実行されるプログラムを保持している。このプログラムは、ＤＶＤ−ＲＯＭなどのコンピュータ可読な記録媒体に格納されて提供され、この記憶部２２に複写されたものであっても構わない。また、この記憶部２２は、制御部２１のワークメモリとしても動作する。
【００２３】
本実施の形態のある態様では、既に述べたように、この記憶部２２に画像の提供先ごとに指定された画像形成条件が保持される。例えば、この記憶部２２は、図２に例示するように、画像の提供先を特定する情報（Ａ）と、画像形成条件（Ｃ）とを関連づけて保持している。ここに、画像の提供先を特定する情報（Ａ）は例えば利用者識別子（User ID）で構わない。
【００２４】
また、利用者識別子には利用者名の文字列を関連づけておいてもよい。また、画像形成条件（Ｃ）は、少なくとも一つの画像形成条件要素を含む。一例として、図２では、「最低フォントサイズ」、「レイアウト設定」、「フィニッシャ設定」、「製本設定」、「用紙サイズ設定」の画像形成条件要素を含む。各利用者に対応する画像形成条件においては、これら画像形成条件要素のうちいずれかについては「指定なし（設定しない）」こととなっていてもよい。
【００２５】
これらの画像形成条件は、各利用者が自己の好みなどに合わせて入力し、記憶部２２に格納させておく。例えば、ネットワーク等の通信回線を介して画像形成装置２へ送信し、記憶部２２に格納させてもよいし、画像形成装置２の入力部２３を操作して記憶部２２に格納させたものであってもよい。また、サーバーなどで管理し必要に応じて画像形成装置２や画像形成指示装置１へ送信してもよい。
【００２６】
入力部２３は、利用者からの指示操作の入力を受けて、制御部２１に出力する。この入力部２３は、例えばテンキーなどのキーを含んでもよい。画像形成部２４は、制御部２１から入力される指示に従って、例えば用紙などの記録媒体に対して印刷を行い、画像を形成する。通信部２５は、ネットワークインタフェースなどであり、ネットワーク等の通信手段を介して受信した画像形成の指示等を制御部２１に出力する。
【００２７】
次に、本実施の形態の一態様における制御部２１の動作について述べる。この態様における制御部２１は、機能的には、図３に例示するように、受入部４１と、取得部４２と、形成部４３とを含んで構成される。また、この形成部４３は、個別指示生成部４５と、出力部４６とを含む。
【００２８】
受入部４１は、画像形成指示装置１から画像形成の指示と、形成された画像の提供先を特定する情報との入力を受け入れる。ここで画像形成の指示には、図４にその概要を示すように、用紙サイズの指示（Ｓ）と、レイアウトに関する指示（Ｌ）と、形成される画像の描画指示（Ｂ）と、フィニッシャに対する指示（Ｆ）及び製本などの指示（Ｘ）とが含まれる。またこの描画指示（Ｂ）は例えばページ単位に分割されており、各ページに描画する画像の描画コマンドとして、フォントサイズを指定する情報や、フォントの種類を指定する情報等を含んでもよい。
【００２９】
取得部４２は、画像形成指示とともに受け入れた画像の提供先を特定する情報を参照して、画像の提供先ごとに予め指定されている画像形成条件を、記憶部２２から読み出して取得し、形成部４３に出力する。
【００３０】
形成部４３の個別指示生成部４５は、取得部４２にて取得した、画像の提供先ごとの各画像形成条件に基づいて画像形成指示を書き換えて、画像の提供先ごとの画像形成指示（個別指示）を生成する。
【００３１】
すなわち個別指示生成部４５では、取得した画像形成条件の一つを注目条件として選択する。そして、個別指示生成部４５は、受け入れた画像形成指示を参照し、それに含まれる各指示を、注目条件に従って書き換える。また個別指示生成部４５は、指示を書き換える際に、当該書き換えによって必要となる調整を行う。例えば受入部４１が、用紙サイズＡ３の指定を含む画像形成指示を受け入れ、これに対して注目条件において、用紙サイズがＡ４の設定となっていた場合は、個別指示生成部４５は、用紙サイズＡ３の指定を用紙サイズＡ４の指定に書き換えるとともに、Ａ３サイズ１ページ分の画像を、Ａ４サイズ１ページ分に収容するために、描画コマンドにおける座標の指定等を用紙のサイズ比（Ａ３とＡ４との比）に合わせて縮小処理する。また、フォントサイズも当該サイズ比に合わせて縮小する。
【００３２】
さらに個別指示生成部４５は、レイアウトの設定として「両面」、「１枚の用紙にＮページ分の画像を形成」などの画像形成条件要素が注目条件に含まれる場合、受け入れた画像形成指示に含まれる各設定を変更する。「フィニッシャ設定」や「製本設定」についても、同様に書き換え、または追記する。
【００３３】
個別指示生成部４５は、さらに、注目条件に「最低フォントサイズ」の画像形成条件要素が含まれる場合、それによって指定された最低フォントサイズ以下、または未満のサイズのフォントの指定が画像形成指示に含まれているか否かを調べ、含まれていれば、当該最低フォントサイズ以下、または未満のサイズのフォントの指定を、最低フォントサイズの指定に書き換える。
【００３４】
出力部４６は、個別指示生成部４５が生成した個別指示を画像形成部２４に出力して、個別指示に基づく画像を形成させる。
【００３５】
つまり、この態様における制御部２１は、画像形成指示装置１から画像形成指示と、形成された画像の提供先を指定する情報とを受け入れて、図５に示す処理を開始する。
【００３６】
制御部２１は、受け入れた画像の提供先の情報の一つ（未だ選択されていないもの）を選択し（Ｓ１）、当該選択した提供先の情報に関連づけられている画像形成条件を記憶部２２から読み出し（Ｓ２）、当該読み出した画像形成条件を注目条件とする。
【００３７】
制御部２１は、受け入れた画像形成指示と、注目条件とに基づき、提供先ごとの画像形成指示（個別指示）を生成する（Ｓ３）。すなわち注目条件の設定を、受け入れた画像形成指示内に規定された設定に上書きして、個別指示とする。従ってこの例では、指定のされていない設定については、もとの画像形成指示に含まれる設定（画像形成指示装置１の利用者が指定した設定）がそのまま利用される。
【００３８】
制御部２１は、生成した個別指示を画像形成部２４に出力し（Ｓ４）、受け入れた画像の提供先の情報のうち、未だ選択されていない情報があるか否かを調べる（Ｓ５）。ここで、未だ選択されていない情報があれば、当該未だ選択されていない情報の一つを選択して処理を続けるべく、処理Ｓ１に戻る。
【００３９】
また制御部２１は、処理Ｓ５において未だ選択されていない情報がなければ、つまり、すべての指定された提供先への画像形成が終了したならば、処理を終了する。
【００４０】
なお、制御部２１は、処理Ｓ４において生成した個別指示を画像形成部２４に出力する際に、処理Ｓ２で読み出した注目条件に関連づけられている、利用者識別子や利用者名等の情報を形成した用紙を、注目条件に基づいて生成した個別指示の形成結果に先立って、または形成結果の後に出力するよう、画像形成部２４に指示してもよい。
【００４１】
また制御部２１は、処理Ｓ１での提供先の選択順に、選択した画像形成条件に関連づけられている利用者識別子や利用者名等の情報の一覧の画像を生成し、当該生成した一覧の画像を形成した用紙を、各個別指示の形成結果に先立って、または形成結果の後に出力するよう、画像形成部２４に指示してもよい。
【００４２】
さらに処理Ｓ１における提供先の選択順序（すなわち画像形成の順序）を、利用者識別子の降順ないし昇順、利用者名のアルファベットまたは五十音順としてもよい。また、この選択順序は、指定されている提供先ごとの画像形成指示の内容に基づいて変更されてもよい。例えば、用紙サイズの順などとしてもよい。ここで用紙サイズの順は、例えば、Ａ４→Ａ３→Ｂ４…といったように予め定めておく。そして、この定められた順に従って、例えばＡ４サイズの指定のある画像形成条件を指定している提供先から順に選択するようにしてもよい。
【００４３】
なお、以上の説明においては、注目条件において指定のされていない画像形成条件要素については、もとの画像形成指示に含まれる設定（画像形成指示装置１の利用者が指定した設定）がそのまま利用されることとしたが、これに限られない。例えば制御部２１は、予め各設定についての既定値を受け入れて記憶部２２に記憶させておき、注目条件において指定のされていない画像形成条件要素に係る設定については、当該記憶部２２に記憶させておいた既定値を読み出して、既定値に設定するよう書き換えてもよい。
【００４４】
また、本実施の形態の別の態様では、図６（ａ）に示すように画像の提供先を特定する情報に対して、複数の画像形成条件が関連づけられてもよい。この場合は、記憶部２２に格納される情報においては、一つの提供先を特定する情報（Ａ）に関連づけられた複数の画像形成条件（Ｃ）にはそれぞれ、画像形成条件を選択するための選択条件（Ｓ）がさらに関連づけられる。
【００４５】
ここで選択条件は、処理の対象となる画像形成指示の内容に基づくものであってもよい。一例として、処理の対象となる画像形成指示により形成される用紙の枚数に応じた条件としてもよい。この例では、具体的には用紙枚数が５枚以上となるときには、第１の画像形成条件（Ｃ１）を選択し、それ以外の場合は第２の画像形成条件（Ｃ２）が選択されるように設定される。
【００４６】
また選択条件は、画像形成指示の内容とは関わりなく、画像形成指示とともに指定された情報に基づくものであってもよい。例えば図６（ｂ）に示したように、使用目的（「会議用」など）や、画像形成指示により形成される画像を資料として用いる会議を特定する情報、会議参加者のリストなど、利用者が設定した１つ以上の文字列であってもよい。この場合、画像形成指示を生成して出力する画像形成指示装置１の利用者は、当該画像形成指示により形成される用紙の利用形態として、当該用紙に形成された画像を資料として用いる会議を特定する情報や、使用目的（例えば「会議用」）などといった、予め定めた文字列等（以下、選択条件に係る情報と呼ぶ）を入力する。画像形成指示装置１は、画像形成指示と配布先を特定する情報とともに、利用者から入力を受けた選択条件に係る情報である文字列等を送出し、画像形成装置２がこの選択条件に係る情報を、画像形成指示と配布先を特定する情報とともに受け入れる。そして、画像形成装置２は、各配布先に関連づけられている複数の画像形成条件のうち、受け入れた選択条件に係る情報に一致する選択条件（複数の文字列を受け入れた場合は、受け入れた各文字列と選択条件に含まれる各文字列とを順不同に比較してもよいし、受け入れた順序通りに比較して一致するか否かを判断してもよい）に関連づけられた画像形成条件を選択的に読み出して、当該選択的に読み出した画像形成条件に基づいて各配布先に対応した個別指示を生成してもよい。
【００４７】
さらに、画像の提供先を特定する情報（Ａ）は、必ずしも配布先である個人ごとに定められなければならないものではなく、配布先であるグループごとに定められてもよい。この場合、画像の提供先を特定する情報はグループを特定する情報とすればよい。なお、記憶部２２は個人ごとの画像形成条件とグループの画像形成条件とをともに記憶していてもよい。この場合、画像形成装置２の制御部２１は、受け入れた配布先の情報が、グループを特定する情報であれば、当該情報で特定されるグループに関連づけられた画像形成条件を読み出して、個別指示の生成を行う。このとき生成される個別指示は、当該情報で特定されるグループに対応して予め指定された画像形成条件に基づくものである。
【００４８】
このようにグループごとの画像形成条件の指定を含む場合、記憶部１２または記憶部２２には、利用者と、利用者が属するグループとを関連づけるグループデータベースが格納されていてもよい。このグループデータベースは、例えば図７に例示するように、識別子と、利用者識別子と、利用者名と、グループを特定する情報とが関連づけられたものである。なお、一人の利用者が属するグループの数は必ずしも一つでなくても構わない。
【００４９】
このグループデータベースは、例えば画像形成装置２においては、グループが指定されたときの画像形成の繰り返し数（印刷部数）を特定する場合に利用できる。すなわち、指定されたグループに属する利用者数をカウントすればよい。また、このグループデータベースは、画像形成指示装置１においては、配布先を指定する際の処理において利用できる。
【００５０】
すなわち、画像形成指示装置１では、利用者から画像形成指示とともに提供先を特定する情報を受け入れる。例えばこの画像形成指示装置１は、図８に例示するインタフェース画面を表示する。このインタフェース画面では、配布先を、「グループ」で特定するか、「個人」で特定するか等を選択するインタフェース部分（選択方法一覧：Ｐ）と、配布先となる利用者やグループの一覧（対象一覧：Ｑ）と、配布先として指定されていない利用者やグループを一覧表示するインタフェース部分（非対象一覧：Ｒ）とを含む。さらに、このインタフェースには、非対象一覧内から選択された利用者やグループを対象一覧へ移動させるためのボタンインタフェースＢ１と、対象一覧のうちから選択された利用者やグループを非対象一覧へ移動させるためのボタンインタフェースＢ２とを含む。利用者は、このボタンインタフェースをマウスなどでクリック操作することにより、対象一覧のインタフェース部分に、配布先となる利用者やグループを入力する。
【００５１】
なお、選択方法一覧は、「グループ」または「個人」などの選択肢のいずれかを選択できるものであってもよいし、複数の選択肢を一斉に選択できるものであってもよい。いずれかを選択可能なものとする場合は、制御部１１は、選択された選択肢に対応する利用者またはグループの一覧を、対象一覧及び非対象一覧に表示する。また、複数の選択肢を一斉に選択可能なものとする場合は、制御部１１は、選択された選択肢に対応する利用者やグループの一覧を、対象一覧及び非対象一覧に表示する。
【００５２】
このとき、制御部１１は、例えば対象一覧に含まれるグループに属する利用者を特定する情報を、グループデータベースから読み出して、対象一覧に含まれるグループに属する利用者については、個人による選択が指示された場合であっても、非対象一覧に表示しないよう制御する（非対象一覧から排除しておく）こととしてもよい。すなわち、制御部１１は、グループデータベースを参照して、配布先とする利用者またはグループの内容を制御する。
【００５３】
このようなインタフェース画面は、画像形成装置２への指示を行うプログラムとして、またはウェブサイトとして実装されるソフトウエアとして実現できる。
【００５４】
制御部１１は、利用者が画像形成指示の送信指示を行うと、ここで対象一覧に含まれている相手先を、配布先として特定する情報を生成し、画像形成指示とともに送信する。
【００５５】
さらに本実施の形態のある態様では、画像形成の指示は、画像形成指示装置１からではなく、画像形成装置２側において生成されてもよい。図９は、本実施の形態に係る画像形成装置２の別の態様を表す構成ブロック図である。この態様において、画像形成装置２は、制御部２１、記憶部２２、入力部２３、画像形成部２４、通信部２５、及び読取手段としてのスキャナ部２６を含む。なお、既に述べた態様と同様の構成をとるものについては、同じ符号を付して詳細な説明の繰り返しを避ける。また、この例では、画像形成指示装置１は必ずしも通信可能に接続されていなくてもよく、従って通信部２５は、必ずしも必要ではない。
【００５６】
スキャナ部２６は、例えばフラットベッドスキャナであり、制御部２１から入力される指示に従って、読み取り面に置かれた媒体に固定された原稿の画像を光学的に読み取り、制御部２１に出力する。制御部２１は、当該読み取られた画像と同じ画像を形成する指示を、画像形成指示として生成する。この場合、制御部２１は、画像形成指示装置１から画像の提供先の情報を受け入れる代わりに、入力部２３から入力を受け入れる。
【００５７】
この場合、入力部２３は、例えば先に述べた態様における、画像形成指示装置１と同様に、図８に例示したインタフェース画面を表示して、配布先の指定を受け入れ、制御部２１に出力する。
【００５８】
制御部２１の受入部４１は、スキャナ部２６にて読み取られた画像の画像形成指示と、入力部２３にて入力された配布先を特定する情報とを受け入れて、取得部４２と、形成部４３とに出力することになる。
【００５９】
つまり、この態様における制御部２１は、スキャナ部２６から読み取られた画像に基づいて生成した画像形成指示と、形成された画像の提供先を指定する情報とを受け入れて、図５に示した処理を開始することとなる。
【００６０】
さらに本発明のもう一つの態様では、画像形成装置２ではなく画像形成指示装置１において、個別指示の生成が行われ、画像形成装置２へ送信される。この例に係る画像形成システムは、図１に例示したものと同様の構成をとるものであるが、画像形成指示装置１と、画像形成装置２とにおける制御部１１、及び制御部２１の動作が主として異なるので、以下、制御部１１及び制御部２１の動作を説明する。
【００６１】
本実施の形態の、この態様によると、画像形成指示装置１の記憶部１２には、図２に例示したような、配布先を特定する情報と、それに関連づけられた画像形成条件の情報とが保持される。この場合も、これらの画像形成条件は、各利用者が自己の好みなどに合わせて入力し、記憶部１２に格納させればよい。例えば、ネットワーク等の通信回線を介して画像形成装置２へ送信し、記憶部２２に格納させてもよいし、画像形成装置２の入力部２３を操作して記憶部２２に格納させたものであってもよい。また、この制御部１１は、機能的には図１０に例示するように、受入部５１と、取得部５２と、個別指示生成部５３と、出力部５４とを含む。
【００６２】
受入部５１は、利用者から画像形成の指示と、形成された画像の提供先を特定する情報との入力を受け入れる。ここでは例えばワードプロセッサなどのアプリケーションプログラムに対する操作として、画像形成の指示を受け入れて、制御部１１が、図４にその概要を示したような画像形成指示を生成する。この画像形成指示には、既に述べたように、用紙サイズの指示（Ｓ）と、レイアウトに関する指示（Ｌ）と、形成される画像の描画指示（Ｂ）と、フィニッシャに対する指示（Ｆ）及び製本などの指示（Ｘ）とが含まれる。またこの描画指示（Ｂ）は例えばページ単位に分割されており、各ページに描画する画像の描画コマンドとして、フォントサイズを指定する情報や、フォントの種類を指定する情報等を含んでもよい。
【００６３】
また、画像の提供先を特定する情報は、既に図８を例として説明したような、インタフェース画面を介して受け入れる。
【００６４】
取得部５２は、利用者から受け入れた画像の提供先を特定する情報を参照して、画像の提供先ごとに予め指定されている画像形成条件を、記憶部１２から読み出して取得し、個別指示生成部５３に出力する。
【００６５】
個別指示生成部５３は、取得部５２にて取得した、画像の提供先ごとの各画像形成条件に基づいて画像形成指示を書き換えて、画像の提供先ごとの画像形成指示（個別指示）を生成する。
【００６６】
すなわち個別指示生成部５３では、取得した画像形成条件の一つを注目条件として選択する。そして、個別指示生成部５３は、受け入れた画像形成指示を参照し、それに含まれる各指示を、注目条件に従って書き換える。また個別指示生成部５３は、指示を書き換える際に、当該書き換えによって必要となる調整を行う。例えば受入部５１が、用紙サイズＡ３の指定を含む画像形成指示を受け入れ、これに対して注目条件において、用紙サイズがＡ４の設定となっていた場合は、個別指示生成部５３は、用紙サイズＡ３の指定を用紙サイズＡ４の指定に書き換えるとともに、Ａ３サイズ１ページ分の画像を、Ａ４サイズ１ページ分に収容するために、描画コマンドにおける座標の指定等を用紙のサイズ比（Ａ３とＡ４との比）に合わせて縮小処理する。また、フォントサイズも当該サイズ比に合わせて縮小する。
【００６７】
さらに個別指示生成部５３は、レイアウトの設定として「両面」、「１枚の用紙にＮページ分の画像を形成」などの指定が注目条件に含まれる場合、受け入れた画像形成指示に含まれる各設定を変更する。「フィニッシャ設定」や「製本設定」についても、同様に書き換え、または追記する。
【００６８】
個別指示生成部５３は、さらに、注目条件に「最低フォントサイズ」の指定が含まれる場合、それによって指定された最低フォントサイズ以下、または未満のサイズのフォントの指定が画像形成指示に含まれているか否かを調べ、含まれていれば、当該最低フォントサイズ以下、または未満のサイズのフォントの指定を、最低フォントサイズの指定に書き換える。
【００６９】
出力部５４は、個別指示生成部５３が生成した個別指示を画像形成装置２へ出力して、個別指示に基づく画像を形成させる。
【００７０】
つまり、この態様における制御部１１は、画像形成指示と、形成された画像の提供先を指定する情報とを利用者から受け入れて、図１１に示す処理を開始する。
【００７１】
制御部１１は、受け入れた画像の提供先の情報の一つ（未だ選択されていないもの）を選択し（Ｓ１１）、当該選択した提供先の情報に関連づけられている画像形成条件を記憶部１２から読み出し（Ｓ１２）、当該読み出した画像形成条件を注目条件とする。
【００７２】
制御部１１は、受け入れた画像形成指示と、注目条件とに基づき、提供先ごとの画像形成指示（個別指示）を生成する（Ｓ１３）。すなわち注目条件の設定を、受け入れた画像形成指示内に規定された設定に上書きして、個別指示とする。従ってこの例では、指定のされていない設定については、もとの画像形成指示に含まれる設定（画像形成指示装置１の利用者が指定した設定）がそのまま利用される。
【００７３】
制御部１１は、生成した個別指示を画像形成装置２へ送信出力し（Ｓ１４）、受け入れた画像の提供先の情報のうち、未だ選択されていない情報があるか否かを調べる（Ｓ１５）。ここで、未だ選択されていない情報があれば、当該未だ選択されていない情報の一つを選択して処理を続けるべく、処理Ｓ１１に戻る。
【００７４】
また制御部１１は、処理Ｓ１５において未だ選択されていない情報がなければ、つまり、すべての指定された提供先への画像形成が終了したならば、処理を終了する。
【００７５】
なお、制御部１１は、処理Ｓ１４において生成した個別指示を画像形成装置２に送信出力する際に、処理Ｓ１２で読み出した注目条件に関連づけられている、利用者識別子や利用者名等の情報を形成した用紙を、注目条件に基づいて生成した個別指示の形成結果に先立って、または形成結果の後に出力するよう、画像形成装置２に指示してもよい。
【００７６】
また制御部１１は、処理Ｓ１１での提供先の選択順に、選択した画像形成条件に関連づけられている利用者識別子や利用者名等の情報の一覧の画像を生成し、当該生成した一覧の画像を形成した用紙を、各個別指示の形成結果に先立って、または形成結果の後に出力するよう、画像形成装置２に指示してもよい。
【００７７】
さらに処理Ｓ１１における提供先の選択順序（すなわち画像形成の順序）を、利用者識別子の降順ないし昇順、利用者名のアルファベットまたは五十音順としてもよい。また、この選択順序は、指定されている提供先ごとの画像形成指示の内容に基づいて変更されてもよい。例えば、用紙サイズの順などとしてもよい。ここで用紙サイズの順は、例えば、Ａ４→Ａ３→Ｂ４…といったように予め定めておく。そして、この定められた順に従って、例えばＡ４サイズの指定のある画像形成条件を指定している提供先から順に選択するようにしてもよい。
【００７８】
なお、以上の説明においては、注目条件において指定のされていない設定については、もとの画像形成指示に含まれる設定（利用者が指定した設定）がそのまま利用されることとしたが、これに限られない。例えば制御部１１は、予め各設定についての既定値を受け入れて記憶部１２に記憶させておき、注目条件において指定のされていない設定については、当該記憶部１２に記憶させておいた既定値を読み出して、既定値に設定するよう書き換えてもよい。
【００７９】
また、本実施の形態の別の態様では、図６（ａ）に示したように、画像の提供先を特定する情報に対して、複数の画像形成条件が関連づけられて記憶部１２に格納されていてもよい。この場合も、選択条件は、処理の対象となる画像形成指示の内容に基づくものであってもよい。一例として、処理の対象となる画像形成指示により形成される用紙の枚数に応じた条件としてもよい。この例では、具体的には用紙枚数が５枚以上となるときには、第１の画像形成条件（Ｃ１）を選択し、それ以外の場合は第２の画像形成条件（Ｃ２）が選択されるように設定される。
【００８０】
また選択条件は、画像形成指示の内容とは関わりなく、画像形成指示とともに指定された情報に基づくものであってもよい。例えば図６（ｂ）に示したように、使用目的（「会議用」など）や、画像形成指示により形成される画像を資料として用いる会議を特定する情報、会議参加者のリストなど、利用者が設定した１つ以上の文字列であってもよい。この場合、画像形成指示を生成して出力する画像形成指示装置１の利用者は、当該画像形成指示により形成される用紙の利用形態として、当該用紙に形成された画像を資料として用いる会議を特定する情報や、使用目的（例えば「会議用」）などといった、予め定めた文字列等（以下、選択条件に係る情報と呼ぶ）を入力する。画像形成指示装置１は、画像形成指示と配布先を特定する情報とともに、利用者から入力を受けた選択条件に係る情報である文字列等を送出し、画像形成装置２がこの選択条件に係る情報を、画像形成指示と配布先を特定する情報とともに受け入れる。そして、画像形成装置２は、各配布先に関連づけられている複数の画像形成条件のうち、受け入れた選択条件に係る情報に一致する選択条件（複数の文字列を受け入れた場合は、受け入れた各文字列と選択条件に含まれる各文字列とを順不同に比較してもよいし、受け入れた順序通りに比較して一致するか否かを判断してもよい）に関連づけられた画像形成条件を選択的に読み出して、当該選択的に読み出した画像形成条件に基づいて各配布先に対応した個別指示を生成してもよい。
【００８１】
さらに、画像の提供先を特定する情報（Ａ）は、必ずしも配布先である個人ごとに定められなければならないものではなく、配布先であるグループごとに定められてもよい。この場合、画像の提供先を特定する情報はグループを特定する情報とすればよい。なお、記憶部１２は個人ごとの画像形成条件とグループの画像形成条件とをともに記憶していてもよい。この場合、画像形成指示装置１の制御部１１は、受け入れた配布先の情報が、グループを特定する情報であれば、当該情報で特定されるグループに関連づけられた画像形成条件を読み出して、個別指示の生成を行う。このとき生成される個別指示は、当該情報で特定されるグループに対応して予め指定された画像形成条件に基づくものである。
【００８２】
このようにグループごとの画像形成条件の指定を含む場合、記憶部１２には、利用者と、利用者が属するグループとを関連づけるグループデータベースが格納されていてもよい。このグループデータベースは、図７に例示したものと同様のもので構わない。
【００８３】
画像形成指示装置１は、グループにより配布先が指定された場合、グループデータベースを参照して指定されたグループに属する利用者の数をカウントし、画像形成の繰り返し数（印刷部数）とする。
【００８４】
なお、ここまでの説明において、画像の提供先を特定する情報を選択する際に、画像形成指示装置１または画像形成装置２は、グループデータベースなど、予め利用者名などを記録した情報を参照するなどして、入力を受け入れることとしていたが、これに限られるものではない。提供先を特定する情報は、他のアプリケーションソフトウエアにおいて管理される利用者の情報を用いてもよい。例えば、利用者のスケジュールを管理するソフトウエアが、図示しないサーバなどで動作している場合は、当該サーバからスケジュール情報に含まれる利用者の情報を取得して、当該取得した利用者の情報により画像の提供先を特定する情報を生成してもよい。
【００８５】
具体的に、スケジュール情報が、スケジュール名（「会議」など予定の内容を表す文字列やスケジュールの日時の情報等）と、当該スケジュールに関わる利用者の一覧（参加者の一覧など）とを関連づけたものである場合、画像の提供先を特定する情報を受け入れる装置では、スケジュール名の一覧を表示し、当該一覧から少なくとも一つのスケジュール名の選択を受け入れる。
【００８６】
そして当該選択を受け入れた装置は、スケジュール情報を参照して、選択されたスケジュール名に関連づけられている利用者名の一覧を取得し、当該取得した一覧を、画像の提供先を特定する情報とすることとしてもよい。なお、利用者名に代えてまたは利用者名とともに、グループを特定する情報が一覧に含まれてもよい。
【００８７】
さらに、使用目的を特定する情報が受け入れられているときには、画像形成装置２は、各個別指示に基づく画像の形成に先立って、またはそれに続いて、当該使用目的を特定する情報（会議名やグループ名など）を表す文字列等の画像を媒体に形成して排出してもよい。
【００８８】
［設定の優越］
また、本実施の形態は、上述の例に限られず、利用者ごとに指定された画像形成条件に必ずしも従うべきでない場合もあることに鑑みて、画像形成の指示を行う利用者が画像形成の条件の一部について設定変更を禁止することとしてもよい。
【００８９】
この例では、画像形成の指示を行う利用者は、設定変更を禁止する設定について指定を行う。個別指示を生成する処理を行う画像形成装置２、または画像形成指示装置１は、画像形成の指示とともに当該指定を受け入れて、当該指定の内容を記憶しておく。
【００９０】
そして画像形成装置２、または画像形成指示装置１は、図５に示した処理Ｓ３、または図１１に示した処理Ｓ１３において、注目条件に係る画像形成条件要素を参照して、画像形成指示に含まれる設定を変更する際に、変更しようとする設定について、設定変更を禁止する指定がされているか否かを調べる。ここで設定変更を禁止する指定がされているときには、注目条件の内容に拘わらず、設定を変更しない。また設定変更を禁止する指定がされていなければ、注目条件に係る画像形成条件要素を参照し、当該画像形成条件要素に従って設定を変更する。
【００９１】
例えば、画像形成の指示を行う利用者は、用紙サイズについての設定変更を禁止する指定を行っておく。この場合、個別指示を生成する装置は、画像形成指示における用紙サイズの設定が、注目条件と異なっていても当該設定を変更しない。また、設定変更が禁止されていないフォントサイズの指定などについては、画像形成指示におけるフォントサイズの設定が、注目条件と異なっている場合は、当該設定を変更する。
【００９２】
［条件間の優先度］
さらに、本実施の形態においては、既に説明したように、例えば注目条件に従って用紙サイズを変更する際に、フォントサイズが用紙サイズの変更に合わせて制御されることとしていたが、この制御により、注目条件における最低フォントサイズの指定に反することとなる場合がある。すなわち、画像形成条件要素間で矛盾が生じる場合がある。
【００９３】
そこで、画像形成条件に含まれる画像形成条件要素ごとに適用の優先順位を設定しておいてもよい。この場合、個別指示を生成する処理を行う画像形成装置２、または画像形成指示装置１は、図５の処理Ｓ３又は図１１の処理Ｓ１３において、画像形成条件要素を順次参照し、参照した画像形成条件要素に基づく設定変更の内容が、より優先順位の高い画像形成条件要素で指定された内容に反する場合は、参照した画像形成要件要素に基づく設定変更を行わない。
【００９４】
一例として、画像形成条件を指定した利用者が、用紙サイズについての画像形成条件要素よりも、最低フォントサイズの画像形成条件要素が優先すると指定している場合、個別指示を生成する装置は、画像形成指示における用紙サイズの設定が、注目条件と異なっている場合は、用紙サイズの変更に伴って変更される各設定の変更内容を生成する。そして、当該生成した変更内容と、より優先順位の高い、画像形成条件要素である最低フォントサイズの内容とを比較する。ここで、例えばＡ３からＡ４サイズへの変更に伴って、そのフォントサイズの指定のうちに、画像形成条件要素として指定された最低フォントサイズより下回るフォントサイズの指定が含まれることとなるか否かを調べる。そして、かかる指定が含まれることとなったときには、用紙サイズの変更を行わない。
【００９５】
［変形例］
なお、ここまでの説明において、画像形成条件や、グループデータベースなどは、画像形成指示装置１または画像形成装置２の記憶部１２又は記憶部２２に格納されているものとして説明したが、これに限られず、例えばネットワーク等の通信手段を介して、個別指示を生成する装置と通信可能に接続された外部のサーバに、画像形成条件やグループデータベースなどが格納されていても構わない。この場合、個別指示を生成する装置は、当該外部のサーバから画像形成条件やグループデータベースの内容を取得して処理を行うこととすればよい。
【００９６】
［動作］
次に本実施の形態のある態様における画像形成装置２の動作について述べる。この例では、画像形成装置２が原稿となる画像を固定した媒体を光学的によみとって画像形成指示を生成するものとする。
【００９７】
利用者は、原稿となる画像を固定した媒体をスキャナにセットし、提供先である利用者等を選択して、スキャンを開始させる。
【００９８】
画像形成装置２は、セットされた媒体に固定された画像を光学的に読み取って、当該読み取った画像を形成する画像形成指示を生成する。そして画像形成装置２は、個別指示の生成処理を開始し、この処理において当該生成した画像形成指示を受け入れる。また、画像形成装置２は、選択された利用者等の情報を、画像の提供先を特定する情報として受け入れる。ここでは例えば、図２に例示した、利用者Ｘから利用者Ｚまでが特定されたものとする。
【００９９】
画像形成装置２は、受け入れた情報で特定される各提供先に関連づけられた各画像形成条件（Ｃｘ〜Ｃｚ）を取得し、取得した画像形成条件を順次参照して、受け入れた画像形成指示に含まれる画像形成の設定のうち、参照した画像形成条件と異なる設定を、画像形成条件に従って変更し、個別指示を生成する。
【０１００】
ここでは、利用者Ｘに関連づけられた画像形成条件Ｃｘにおいて、最低フォントサイズが８ポイント、中綴じでステープラー止めして出力するよう指定されており、利用者Ｙに関連する画像形成条件Ｃｙにおいては、最低フォントサイズが１０ポイント、両面印刷して、左側にパンチ孔を形成するよう指定されており、利用者Ｗ及びＺに関連する画像形成条件Ｃｗ，Ｃｚでは、最低フォントサイズが１０．５ポイントで、２ページ分の画像を、１枚の用紙の一面側に形成し、左上側をステープラーで止めるよう指定されている。
【０１０１】
画像形成装置２は、ここでは、例えば共通する画像形成条件があれば、当該共通する画像形成条件の数をカウントする。ここではＣｗと同じ画像形成条件が２つ、Ｃｘ，Ｃｙについては１つずつとなっている。そこで画像形成装置２は、画像形成条件Ｃｘに基づいて生成した個別指示に従って画像を１部（１コピー分）だけ形成する。また、画像形成条件Ｃｙに基づいて生成した個別指示に従った画像も１部（１コピー分）だけ形成する。そして画像形成条件Ｃｗに基づいて生成した個別指示に従った画像を２部（２コピー分）だけ形成する。
【０１０２】
このように本実施の形態では、提供先である利用者が予め指定した画像形成条件で形成された画像が生成されるので、提供先が所望する形成条件で形成された画像が提供できる。
【図面の簡単な説明】
【０１０３】
【図１】本発明の実施の形態に係る画像形成システムの構成例を表すブロック図である。
【図２】本発明の実施の形態に係る画像形成システムで利用される画像形成条件の設定例を表す説明図である。
【図３】本発明の実施の形態に係る画像形成装置のある態様における機能ブロック図である。
【図４】本発明の実施の形態に係る画像形成システムの処理対象となる画像形成指示の内容例を表す説明図である。
【図５】本発明の実施の形態に係る画像形成装置のある態様における動作例を表すフローチャート図である。
【図６】本発明の実施の形態に係る画像形成システムで利用される画像形成条件のもう一つの設定例を表す説明図である。
【図７】本発明の実施の形態に係る画像形成システムで利用され得るグループデータベースの内容例を表す説明図である。
【図８】本発明の実施の形態に係る画像形成システムにおいて、画像の提供先を指定するインタフェース画面の例を表す説明図である。
【図９】本発明の実施の形態に係る画像形成装置の別の態様の構成例を表すブロック図である。
【図１０】本発明の実施の形態に係る画像形成装置の別の態様での機能ブロック図である。
【図１１】本発明の実施の形態に係る画像形成指示装置のある態様での動作例を表すフローチャート図である。
【符号の説明】
【０１０４】
１  画像形成指示装置、２  画像形成装置、１１，２１  制御部、１２，２２  記憶部、１３  操作部、１４  表示部、１５，２５  通信部、２３  入力部、２４  画像形成部、２６  スキャナ部、４１，５１  受入部、４２，５２  取得部、４３  形成部、４５，５３  個別指示生成部、４６  出力部、５４  出力部。
【図１】
2010103699.tif 000003
【図２】
2010103699.tif 000004
【図３】
2010103699.tif 000005
【図４】
2010103699.tif 000006
【図５】
2010103699.tif 000007
【図６】
2010103699.tif 000008
【図７】
2010103699.tif 000009
【図８】
2010103699.tif 000010
【図９】
2010103699.tif 000011
【図１０】
2010103699.tif 000012
【図１１】
2010103699.tif 000013